(57)【要約】【課題】回診医が病室を回診する際に必要な医用情報を簡易、かつ確実に取得することで回診の効率が向上するとともに、取得した医用情報のセキュリティにも十分に配慮した医用情報取得システム及び医用情報取得方法を提供する。【解決手段】データベースに記憶されている患者の検査情報や患者情報を含む各種医用情報から回診に必要な回診用データを生成する医用ワークステーション１と、入院患者のいる病室、或いは、病室近傍に設置され、回診医による入院患者への回診時に必要な処理を行う病室端末２と、回診時に回診医が所持する携帯情報端末３と、病室端末２に接続され、少なくとも回診用データを格納し、携帯情報端末３が通信可能な圏内に入った場合に、回診用データを携帯情報端末３に無線で送信する通信機能付き記憶媒体４とを備える。【選択図】図３
2014106674.tif 000002
【特許請求の範囲】
【請求項１】
データベースに記憶されている患者の検査情報や患者情報を含む各種医用情報から回診に必要な回診用データを生成する医用ワークステーションと、
入院患者のいる病室、或いは、病室近傍に設置され、回診医による前記入院患者への回診時に必要な処理を行う病室端末と、
前記回診時に前記回診医が所持する携帯情報端末と、
前記病室端末に接続され、少なくとも前記回診用データを格納し、前記携帯情報端末が通信可能な圏内に入った場合に、前記回診用データを前記携帯情報端末に無線で送信する通信機能付き記憶媒体と、
を備えることを特徴とする医用情報取得システム。
【請求項２】
前記医用ワークステーションは、前記回診用データの生成とともに、併せて前記回診医が前記回診用データ以外の医用情報を必要とする場合に使用するアクセスコードを生成することを特徴とする請求項１に記載の医用情報取得システム。
【請求項３】
前記病室端末は、前記通信機能付き記憶媒体内に格納されている回診スケジュールを確認した後、前記医用ワークステーションが生成した前記回診用データ及び前記アクセスコードを取得することを特徴とする請求項１または請求項２に記載の医用情報取得システム。
【請求項４】
前記携帯情報端末は、前記入院患者に対する回診に当たって、前記通信機能付き記憶媒体に格納されている回診用データ及び前記アクセスコードを受信し、前記回診用データを表示部に表示させることを特徴とする請求項１ないし請求項３のいずれかに記載の医用情報取得システム。
【請求項５】
患者の内部情報を取得する医用画像診断装置と、
前記医用画像診断装置から無線で前記内部情報を医用情報として受信する医用ワークステーションと、
前記医用画像診断装置から無線で前記医用情報を受信する携帯情報端末と、
前記医用画像診断装置に接続され、少なくとも前記医用情報を格納し、前記携帯情報端末が通信可能な圏内に入った場合に、前記医用情報を前記携帯情報端末に無線で送信する通信機能付き記憶媒体と、
を備えることを特徴とする医用情報取得システム。
【請求項６】
医用ワークステーションがデータベースにアクセスして、記憶されている医用情報を基に回診用データの生成を行うステップと、
接続されている通信機能付き記憶媒体に格納されている回診スケジュールを確認後、病室端末が前記医用ワークステーションにおいて生成された前記回診用データの取得を要求するステップと、
前記回診用データの取得の要求に基づいて前記医用ワークステーションから送信された前記回診用データを取得し、前記通信機能付き記憶媒体に格納するステップと、
前記回診用データを取得後、回診医が所持する携帯情報端末が前記通信機能付き記憶媒体の通信可能な圏内に入ったか否かを確認の後、さらに前記病室端末が前記回診用データを前記携帯情報端末に開示して良いか否かを判断するステップと、
前記判断の結果、前記携帯情報端末に前記回診用データの開示が可能な場合、前記病室端末が情報読取標識を生成し前記携帯情報端末に送信するステップと、
前記情報読取標識を受信した前記携帯情報端末は、前記情報読取標識を解析し、前記回診用データの取得を要求するステップと、
前記回診用データの取得の要求に基づいて、前記携帯情報端末が前記通信機能付き記憶
媒体から無線にて前記回診用データを受信するステップと、
を備えることを特徴とする医用情報取得方法。
【請求項７】
前記医用ワークステーション、或いは、前記通信機能付き記憶媒体が、前記通信機能付き記憶媒体、或いは、前記携帯情報端末に前記回診用データを送信した後、送信した前記回診用データを消去するステップを備えることを特徴とする請求項６に記載の医用情報取得方法。
【請求項８】
前記携帯情報端末が、前記通信機能付き記憶媒体の通信可能な圏外に移動し、かつ、所定の時間の経過後に受信した前記回診用データを消去するステップを備えていることを特徴とする請求項６または請求項７に記載の医用情報取得方法。
【発明の詳細な説明】
【技術分野】
【０００１】
本発明の実施の形態は、医用情報取得システム及び医用情報取得方法に関する。
【背景技術】
【０００２】
これまで患者が入院している病室を回って診察を行う医師（以下、このような医師を「回診医」と表わす）は、多くの場合、看護師に対象となる入院患者に関するカルテやレントゲン写真、或いは、診療記録といった各種医用情報を持たせて回診を行っている。医療機関の規模が小さい場合や回診する病室の数が少ない場合には、特段問題は生じないとも考えられるが、例えば大規模な医療機関、いくつもの病室を回診しなければならない場合には、看護師が持って移動する医用情報も量も膨大なものとなる。
【０００３】
さらに、看護師は、回診に従って医用情報を持ち歩くだけではなく、当然回診の前に対象となる患者に関する医用情報を用意しておかなければならず、回診が終了すれば、再度当該医用情報を元の場所に戻すといった様々な作業を行わなければならない。
【０００４】
このような看護師の負担を軽減すべく、回診時に必要な医用情報が簡単、かつ的確に得られる医療用回診車に関する発明が開示されている（以下の特許文献１）。
【先行技術文献】
【特許文献】
【０００５】
【特許文献１】特開２００３−２２００３２号公報
【発明の概要】
【発明が解決しようとする課題】
【０００６】
上記特許文献１において開示されている発明では、確かに回診に伴う看護師の負担の軽減が図られている。しかしながら、例えば、通信によって回診の対象となる入院患者に関する様々な医用情報を取得するには、膨大な患者に関する情報の中から適切な医用情報を検索、取得する必要があり、所望の医用情報を取得するのに手間が掛かる。
【０００７】
本発明は上記課題を解決するためになされたものであり、本発明の目的は、回診医が病室を回診する際に必要な医用情報を簡易、かつ確実に取得することで回診の効率が向上するとともに、取得した医用情報のセキュリティにも十分に配慮した医用情報取得システム及び医用情報取得方法を提供することにある。
【課題を解決するための手段】
【０００８】
請求項１に記載の発明の特徴は、医用情報取得システムにおいて、データベースに記憶されている患者の検査情報や患者情報を含む各種医用情報から回診に必要な回診用データを生成する医用ワークステーションと、入院患者のいる病室、或いは、病室近傍に設置され、回診医による入院患者への回診時に必要な処理を行う病室端末と、回診時に回診医が所持する携帯情報端末と、病室端末に接続され、少なくとも回診用データを格納し、携帯情報端末が通信可能な圏内に入った場合に、回診用データを携帯情報端末に無線で送信する通信機能付き記憶媒体とを備える。
【０００９】
請求項５に記載の発明の特徴は、医用情報取得システムにおいて、患者の内部情報を取得する医用画像診断装置と、医用画像診断装置から無線で内部情報を医用情報として受信する医用ワークステーションと、医用画像診断装置から無線で医用情報を受信する携帯情報端末と、医用画像診断装置に接続され、少なくとも医用情報を格納し、携帯情報端末が
通信可能な圏内に入った場合に、医用情報を携帯情報端末に無線で送信する通信機能付き記憶媒体とを備える。
【００１０】
請求項６に記載の発明の特徴は、医用情報取得方法において医用ワークステーションがデータベースにアクセスして、記憶されている医用情報を基に回診用データの生成を行うステップと、接続されている通信機能付き記憶媒体に格納されている回診スケジュールを確認後、病室端末が医用ワークステーションにおいて生成された回診用データの取得を要求するステップと、回診用データの取得の要求に基づいて医用ワークステーションから送信された回診用データを取得し、通信機能付き記憶媒体に格納するステップと、回診用データを取得後、回診医が所持する携帯情報端末が通信機能付き記憶媒体の通信可能な圏内に入ったか否かを確認の後、さらに病室端末が回診用データを携帯情報端末に開示して良いか否かを判断するステップと、判断の結果、携帯情報端末に前記回診用データの開示が可能な場合、病室端末が情報読取標識を生成し携帯情報端末に送信するステップと、情報読取標識を受信した携帯情報端末は、情報読取標識を解析し、回診用データの取得を要求するステップと、回診用データの取得の要求に基づいて、携帯情報端末が通信機能付き記憶媒体から無線にて前記回診用データを受信するステップとを備える。
【図面の簡単な説明】
【００１１】
【図１】第１の実施の形態における医用情報取得システムの全体構成を示すブロック図である。
【図２】第１の実施の形態における医用ワークステーションの内部構成を示すブロック図である。
【図３】第１の実施の形態における病室端末及び通信機能付き記憶媒体の内部構成を示すブロック図である。
【図４】第１の実施の形態における携帯情報端末の内部構成を示すブロック図である。
【図５】第１の実施の形態において回診用データが生成されて回診医の所持する携帯情報端末に届き消去されるまでの流れを示すシーケンス図である。
【図６】第１の実施の形態において回診用データが生成されて回診医の所持する携帯情報端末に届き消去されるまでの流れを示すシーケンス図である。
【図７】第１の実施の形態において回診用データが生成されて回診医の所持する携帯情報端末に届き消去されるまでの流れを示すシーケンス図である。
【図８】第１の実施の形態において回診用データが生成されて回診医の所持する携帯情報端末に届き消去されるまでの流れを示すシーケンス図である。
【図９】第２の実施の形態における医用情報取得システムの全体構成を示すブロック図である。
【発明を実施するための形態】
【００１２】
以下、本発明の実施の形態について図面を参照して詳細に説明する。
【００１３】
（第１の実施の形態）
図１は、第１の実施の形態における医用情報取得システムＳの全体構成を示すブロック図である。医用情報取得システムＳは、医用ワークステーション１と、病室端末２と、携帯情報端末３と、病室端末２に接続される通信機能付き記憶媒体４とから構成される。
【００１４】
医用ワークステーション１と病室端末２とは、通信ネットワークＮを介して互いに接続されている。さらに当該通信ネットワークＮには、データベース５も接続されている。また、医用情報取得システムＳを構成する医用ワークステーション１とデータベース５とは、例えば、病院情報管理システム（ＨＩＳ：Hospital Information System）、放射線部門情報管理システム（ＲＩＳ：Radiological Information System）、医用画像管理システム（ＰＡＣＳ：Picture Archiving Communication System）といった医療機関内に構築
された各種管理システムの全て、或いは、その一部を構成するようにされていても良い。
【００１５】
図１の医用情報取得システムＳの全体構成を示すブロック図では、医用ワークステーション１とデータベース５とは破線で示す枠内に含まれており、当該枠は上述した各種管理システムを示している。
【００１６】
なお、管理システムＡには、医用ワークステーション１Ａとデータベース５Ａとが含まれる。一方、管理システムＢには、医用ワークステーション１Ｂとデータベース５Ｂとが含まれる。また、図１においては、２つの管理システムＡ，Ｂが通信ネットワークＮに接続されている例が示されているが、当該管理システム（及び構成要素である医用ワークステーション１とデータベース５）がいくつ通信ネットワークＮに接続されていても良い。
【００１７】
医用ワークステーション１は、データベース５に記憶されている、例えば、名前、患者ＩＤといった、患者に関する情報（以下、「患者情報」と表わす）や患者のカルテ、医用画像やレポートを含む検査情報といった各種医用情報を基にして回診医が回診の際必要とする情報（以下、このような情報を「回診用データ」と表わす）を生成する。当該回診用データは、回診に当たって都度最新の情報を基に生成される。従って、同じ入院患者であっても回診の都度新しい回診用データの下、回診医によって回診が行われる。また、回診医が所持する携帯情報端末３を介して回診用データ、或いは、回診用データには含まれていない各種医用情報の取得する際に用いられるアクセスコードも生成する。当該アクセスコードについても回診用データが都度最新の情報を基に生成されるのと同様、毎日異なるアクセスコードとして生成される。これは、セキュリティ確保のためである。なお、医用ワークステーション１の詳細な内部構成については、後述する。
【００１８】
病室端末２は、診察医が所持する携帯情報端末３との間で回診に際必要とされる医用情報のやり取りを行う端末である。従って、これら病室端末２は、病室内、或いは、病室と病室をつなぐ廊下等、病室の近傍に設置されている。また、病室端末２には、通信機能付き記憶媒体４が接続されている。そこで後述するように、当該通信機能付き記憶媒体４が記憶している医用情報を携帯情報端末３に送信するか否かについての判断は、この病室端末２において行われる。
【００１９】
なお、病室端末２は、図１に示す通信ネットワークＮには２つ接続されているが（病室端末２Ａ及び病室端末２Ｂ）、その設置場所に鑑みると通信ネットワークＮに接続される病室端末２の数は任意に設定することができる。また、病室端末２の詳細な内部構成は、後述する。
【００２０】
携帯情報端末３は、回診医が回診の際、所持して使用される端末である。回診時に携帯される端末であることから、例えば、ｉＰａｄ（登録商標）といったタブレット型の端末、或いは、ノートパソコン等が想定される。携帯情報端末３の表示部には、回診医が回診の際必要とされる各種医用情報が適宜配置されて表示される。なお、携帯情報端末３の詳細な内部構成は、後述する。
【００２１】
通信機能付き記憶媒体４は、基本は記憶媒体であるが、当該記憶媒体内に格納されている情報を無線で他の端末、装置に対して送信することのできる通信機能が付加されている記憶媒体である。通信機能付き記憶媒体４は、例えば、「Ｅｙｅ−ｆｉ（登録商標）」や「Ｗｉ−ｆｉ（登録商標）」といったカード形式であったり、或いは、ＵＳＢメモリのような形状が採用されていても良い。
【００２２】
本発明の実施の形態における通信機能付き記憶媒体４は、病室端末２に接続され、医用ワークステーション１において生成された回診用データがその日の回診に間に合うように
格納される。そして回診のために病室に入室した回診医が所持する携帯情報端末３が通信圏内に入ったことを確認した上で、病室端末２の判断により回診用データを携帯情報端末３へと送信する。
【００２３】
通信ネットワークＮは、医用ワークステーション１、病室端末２及び、データベース５をそれぞれつなぎ、互いの間で、例えば医用画像情報のやりとりを可能とする。通信ネットワークＮの例としては、ＬＡＮ（Local Area Network）やインターネット等のネットワークを挙げることができる。また、この通信ネットワークＮで使用される通信規格は、ＤＩＣＯＭ（Digital Imaging and Communication in Medicine）等、いずれの規格であっても良い。
【００２４】
図２は、第１の実施の形態における医用ワークステーション１の内部構成を示すブロック図である。医用ワークステーション１は、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力部１ｆと、表示部１ｇと、通信制御部１ｈと、記憶部１ｉと、リムーバブルディスク１ｊとが接続されている。さらに、入出力インターフェイス１ｄには、データ生成部１０と、計時部２０と、消去部３０とが接続されている。
【００２５】
ＣＰＵ１ａは、入力部１ｆからの入力信号に基づいてＲＯＭ１ｂから医用ワークステーション１を起動するためのブートプログラムを読み出して実行し、記憶部１ｉに格納されている各種オペレーティングシステムを読み出す。またＣＰＵ１ａは、入力部１ｆや入出力インターフェイス１ｄを介して、図２において図示していないその他の外部機器からの入力信号に基づいて各種装置の制御を行う。さらにＣＰＵ１ａは、ＲＡＭ１ｃや記憶部１ｉ等に記憶されたプログラム及びデータを読み出してＲＡＭ１ｃにロードするとともに、ＲＡＭ１ｃから読み出されたプログラムのコマンドに基づいて、回診用データの生成のための処理やデータの計算、加工等、一連の処理を実現する処理装置である。
【００２６】
入力部１ｆは、医用ワークステーション１の操作者（例えば、医師や検査技師）が各種の操作を入力するキーボード、ダイヤル等の入力デバイスにより構成されており、操作者の操作に基づいて入力信号を作成しバス１ｅを介してＣＰＵ１ａに送信される。
【００２７】
表示部１ｇは、例えば液晶ディスプレイである。この表示部１ｇは、ＣＰＵ１ａからバス１ｅを介して出力信号を受信し、例えばある画像の処理要求を医用ワークステーション１に対して行うに当たっての条件設定に必要な画像等、或いはＣＰＵ１ａの処理結果等を表示する。
【００２８】
通信制御部１ｈは、ＬＡＮカードやモデム等の手段であり、医用ワークステーション１をインターネットやＬＡＮ等の通信ネットワークＮに接続することを可能とする手段である。通信制御部１ｈを介して通信ネットワークと送受信したデータは入力信号または出力信号として、入出力インターフェイス１ｄ及びバス１ｅを介してＣＰＵ１ａに送受信される。
【００２９】
記憶部１ｉは、半導体や磁気ディスクで構成されており、ＣＰＵ１ａで実行されるプログラムやデータが記憶されている。
【００３０】
リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００３１】
データ生成部１０は、回診医に対して回診の際に提示する回診用データを生成する。回診用データの生成に当たって基となる情報は、患者情報、患者のカルテ、検査情報といった各種医用情報である。データ生成部１０は、管理システム内のデータベース５から必要な医用情報を検索、取得して回診用データを生成する。上述したように、データ生成部１０は、回診の都度、最新の医用情報に基づいて回診用データを生成する。
【００３２】
ここで「回診用データ」とは、最新の検査データ及びカルテ情報に検査データリンク情報、アクセスコードを付加したデータである。「検査データリンク情報」とは、データ生成部１０において生成される回診用データに含まれない、その他の検査データにアクセスするためのリンク情報である。また、「アクセスコード」は、上記その他の検査データにアクセスする際に求められるコードである。
【００３３】
「回診用データ」は、回診の際、回診医に対して開示するデータ（情報）であることから、あまりに膨大な医用情報を回診用データとして生成すると、回診医が所持する携帯情報端末３において受信するのに時間が掛かり、却って回診の効率を下げることにもなりかねない。従って、ここでは回診用データに含まれる医用情報を「検査データ」と「カルテ情報」とに限定している。
【００３４】
但し一方で、回診医がこれらの情報以外に接することができないとしてしまうと、回診の際必要な情報を入手することができないことになってしまう。そこで、本願発明の実施の形態においては、検査データリンク情報及びアクセスコードも回診用データに含めて予め回診医に開示することによって、このような弊害が生ずることを防止し、その他の医用情報については、アクセスコード等を利用して必要に応じて医用ワークステーション１までアクセスすることが可能とされている。
【００３５】
なお、どのような医用情報を回診用データとして構成するかについては、任意に設定することができる。また、基本的に回診医に開示される情報には違いがないものの、回診医ごと、或いは、診療科ごと等、回診用データに様々なバリエーションを持たせることも可能である。
【００３６】
計時部２０と消去部３０は、生成した回診用データの消去処理の際に用いられる。すなわち、医用ワークステーション１は、必要な情報をデータベース５から入手し、これらの情報を基に回診用データを生成する。但し、生成した回診用データをいつまでも医用ワークステーション１内に保持しておくことは、セキュリティの観点から、或いは、記憶部１ｉの容量の観点からも好ましいことではない。そこで、計時部２０において予め設定された時間を計測し、当該設定時間が経過した後は、消去部３０において回診用データの消去を行う。
【００３７】
図３は、第１の実施の形態における病室端末２及び通信機能付き記憶媒体４の内部構成を示すブロック図である。ここで病室端末２は、例えば、ノートパソコンといった、携帯型のコンピュータである。従って、病室端末２の基本的な内部構成は、上述した医用ワークステーション１の内部構成と重複する部分もある。そこでそのような各部について説明を省略する。
【００３８】
病室端末２は、ＣＰＵ（Central Processing Unit）２ａと、ＲＯＭ(Read Only Memory)２ｂと、ＲＡＭ（Random Access Memory）２ｃ及び入出力インターフェイス２ｄがバス２ｅを介して接続されている。入出力インターフェイス２ｄには、入力部２ｆと、表示部２ｇと、通信制御部２ｈと、記憶部２ｉと、リムーバブルディスク２ｊとが接続されている。さらに、入出力インターフェイス２ｄには、データ制御部１１と、計時部２１と、回診用データ消去部３１とが接続されている。
【００３９】
データ制御部１１は、例えば、後述する通信機能付き記憶媒体４の記憶部に格納されている回診用データを回診医が所持する携帯情報端末３に送信するか否かの判断を行う。また、医用ワークステーション１において生成された回診用データが病室端末２に送信された場合に、病室端末２の記憶部２ｉではなく通信機能付き記憶媒体４の記憶部に格納するよう制御する。
【００４０】
計時部２１と回診用データ消去部３１は、携帯情報端末３への送信の有無に拘わらず、病室端末２から回診用データを消去する際に用いられる。すなわち、病室端末２は医用ワークステーション１から受信した回診用データを所定の手順の後、病室に入室した回診医、すなわち、通信機能付き記憶媒体４の通信圏内に入った携帯情報端末３に対して回診用データを送信する。通信機能付き記憶媒体４は、医用ワークステーション１にて生成された回診用データを携帯情報端末３へ送信する機能を有するものであることから、送信後にこの回診用データをいつまでも保持しておくことは、セキュリティの観点から、或いは、通信機能付き記憶媒体４の記憶部の容量の観点からも好ましいことではない。そこで、計時部２１において予め設定された時間を計測し、当該設定時間が経過した後は、回診用データ消去部３１において回診用データの消去を行う。
【００４１】
通信機能付き記憶媒体４は、病室端末２のデータ制御部１１との間の制御信号をやり取りする第１の送受信部４１と、携帯情報端末３に対して送信する回診用データを格納する記憶部４２と、携帯情報端末３との間で無線で情報のやり取りを行う第２の送受信部４３とを備える。通信機能付き記憶媒体４の記憶部４２内には、回診用データ以外に、例えば、患者情報、携帯情報端末情報、回診スケジュール等の情報が含まれる。
【００４２】
患者情報は、入院患者に関する情報である。当該情報は、例えば、入院が決まった際に情報として医療機関に取得される。従って、例えば、その際に当該通信機能付き記憶媒体４の記憶部４２に格納されることとしても良い。また、当該記憶部４２内には、回診スケジュールに関する情報も格納される。回診スケジュールは、回診医における各病室、各患者に対する回診の日程を定めたスケジュールである。当該回診スケジュールに関する情報は、回診の都度作成されるスケジュールであり、例えば別途管理システムにて作成される。また、回診スケジュールに変更がある場合には、随時その変更が反映される。回診スケジュールに関する情報は、病室端末２が回診用データを病室に入室した携帯情報端末３を所持する医師に送信して良いか否かを判断する際に必要となる情報の１つである。
【００４３】
さらに、携帯情報端末３に関する情報も格納されている。当該携帯情報端末３に関する情報は、回診のために病室を訪れる回診医が所持している携帯情報端末３に関する情報である。また、回診医と携帯情報端末３とが１対１で対応している場合等、携帯情報端末３に関する情報は、回診医に関する情報と捉えることもできる。当該情報も病室端末２が回診用データを病室に入室した携帯情報端末３を所持する医師に送信して良いか否かを判断する際に必要となる情報の１つである。
【００４４】
図４は、第１の実施の形態における携帯情報端末３の内部構成を示すブロック図である。ここで携帯情報端末３は、例えば、上述したように、タブレット型の端末である。従って、携帯情報端末３の基本的な内部構成は、上述した医用ワークステーション１の内部構成と重複する部分もある。そこでそのような各部について説明を省略する。
【００４５】
携帯情報端末３は、ＣＰＵ（Central Processing Unit）３ａと、ＲＯＭ(Read Only Memory)３ｂと、ＲＡＭ（Random Access Memory）３ｃ及び入出力インターフェイス３ｄがバス３ｅを介して接続されている。入出力インターフェイス３ｄには、入力部３ｆと、表示部３ｇと、通信制御部３ｈと、記憶部３ｉと、リムーバブルディスク３ｊとが接続され
ている。さらに、入出力インターフェイス３ｄには、計時部２２と、受信データ消去部３２とが接続されている。
【００４６】
携帯情報端末３の記憶部３ｉには、医用ワークステーション１において生成され、通信機能付き記憶媒体４から送信された回診用データが記憶される。携帯情報端末３を所持する回診医は、当該記憶部３ｉ内に記憶された回診用データを確認しながら回診を行う。また、回診中に回診医が所持することになるため、例えば、入力部３ｆは、例えば、タッチパネル式の入力部と構成しても良い。
【００４７】
計時部２２と受信データ消去部３２は、携帯情報端末３から回診用データを消去する際に用いられる。すなわち、携帯情報端末３は通信機能付き記憶媒体４から回診用データを取得して回診医による回診の際役立てるが、ある制限の下、当該回診用データを消去しなければならない。これは、携帯情報端末３は回診医が持ち歩くものであることから、消去せずに回診用データを記憶部３ｉ内に保持しておくことは、セキュリティの観点から、或いは、携帯情報端末３の記憶部３ｉの容量の観点からも好ましいことではない。そこで、計時部２２において予め設定された時間を計測し、当該設定時間が経過した後は、受信データ消去部３２において回診用データの消去を行う。
【００４８】
次に、回診医が回診を行う際に利用する回診用データの生成から回診が終了して利用した回診用データの消去に至るまでの流れを、図５ないし図８に示すシーケンス図を利用して説明する。図５ないし図８は、第１の実施の形態において回診用データが生成されて回診医の所持する携帯情報端末３に届き消去されるまでの流れを示すシーケンス図である。
【００４９】
医用ワークステーション１は、回診用データ及びアクセスコードの生成をデータ生成部１０において行う（図５のＳＴ１）。データ生成部１０が回診用データ等の生成を行うタイミングは、任意に設定することが可能であるが、例えば、回診スケジュールが組まれ、当該回診スケジュールの内容が把握可能となった場合である。例えば、既に入院している患者に関する情報は入手済み（登録済み）であることから、新たに入院してくる患者に関する情報が登録された後であれば、翌日の回診スケジュールは生成可能であると考えられる。従って、回診スケジュールが生成された後に、当該回診スケジュールが生成された情報を入手して医用ワークステーション１は回診用データ及びアクセスコードを生成する。
【００５０】
一方、回診スケジュールが生成されると自動的に該当する回診の対象となる入院患者が入っている病室の病室端末２に向けて回診スケジュールに関する情報が送信され、通信機能付き記憶媒体４の記憶部４２に格納される。さらに、データ制御部１１によって記憶部４２内には、回診スケジュールに関する情報の他、携帯情報端末３に関する情報、患者情報も格納される。
【００５１】
携帯情報端末３に関する情報とは、上述したように回診医が所持している携帯情報端末３に関する情報であり、換言すれば、当該携帯情報端末３を所持する回診医に関する情報である。医用情報取得システムＳは、回診用データとして生成された回診に必要な医用情報を通信機能付き記憶媒体４から回診医（携帯情報端末３）に提供するシステムである。当該回診用データは、いわば最も秘匿されるべき個人情報の１つであり、その取り扱いは厳重な注意が必要とされる。従って、このような回診用データを携帯情報端末３を所持するどのような者に対して提供して良いわけではなく、提供先の確認が必要である。そこで、予め記憶部４２内に携帯情報端末３に関する情報を格納しておき、当該情報と合致する携帯情報端末３に対してのみ回診用データを送信することとしている。
【００５２】
なお、携帯情報端末３に関する情報を用いて携帯情報端末３の確認を行うのではなく、直接携帯情報端末３を所持する回診医を認証することも可能である。例えば回診医が自ら
の医師ＩＤを病室端末２に入力する、或いは、医師ＩＤを自身が所持する当該情報が格納されたカードを病室端末２に読み取らせる、といった方法を採用することによって、回診医の認証を行うことができる。但しこの場合、病室端末２が自動的に確認を行うのに比べて、多少手間が掛かることになる。
【００５３】
また、患者情報とは、病室端末２が設置されている病室、或いは、その近傍にある病室に入院している患者に関する情報である。当該情報は、例えば、検査、診察等が行われる度、或いは、入院患者が入れ替わるたびに更新される。
【００５４】
以上説明したような各種情報が格納されている通信機能付き記憶媒体４から、病室端末２は回診スケジュール（に関する情報）を確認する（ＳＴ２）。これは病室端末２が設置されている病室、或いは、その近傍にある病室に入院している患者に対してどのような時間からどのような順番で回診が行われるのか、といったことを確認する。その上で、当該回診スケジュールに合致する回診用データの取得要求を医用ワークステーション１に対して出す（ＳＴ３）。
【００５５】
医用ワークステーション１は、病室端末２からの回診用データの取得要求を受信すると、生成した回診用データ及びアクセスコードを要求を出した病室端末２へと送信する（ＳＴ４）。また、送信済みの回診用データ及びアクセスコードについては、消去部３０において消去する（ＳＴ５）。
【００５６】
なお、ここでは病室端末２へ回診用データ及びアクセスコードを送信したことをトリガーとして医用ワークステーション１は当該回診用データ等の消去を行っている。但し、例えば、回診用データ等を病室端末２へと送信したことをもって計時部２０が予め定められた時間の計測を開始し、所定時間経過後に消去部３０において回診用データ等を消去することとしても良い。
【００５７】
病室端末２は、医用ワークステーション１から送信された回診用データ及びアクセスコードを取得する（ＳＴ６）。回診用データ及びアクセスコードを受信したことをもって、病室端末２のデータ制御部１１は、回診用データフラグを生成する（ＳＴ７）。この回診用データフラグは、回診用スケジュールに合致した回診用データ等を医用ワークステーション１から受信したことを明らかにするものである。
【００５８】
病室端末２は、この状態で待機する。すなわち、病室端末２に接続されている通信機能付き記憶媒体４の通信圏内に回診医が所持する携帯情報端末３が入って通信が可能となるまで待機する（ＳＴ８）。実際には、通信機能付き記憶媒体４の第２の送受信部４３を介してデータ制御部１１が通信可能な携帯情報端末３を認識するか否かであり、認識できない状態が待機の状態となる（ＳＴ８のＮＯ）。
【００５９】
データ制御部１１が通信可能な携帯情報端末３を認識した場合には（ＳＴ８のＹＥＳ）、データ制御部１１は、当該認識された携帯情報端末３に対して回診用データ及びアクセスコードを送信（開示）して良いか判断するための条件を検討する。なお、ここでは、回診医の所持する携帯情報端末３の側からすれば、当該携帯情報端末３が病室端末２の通信機能付き記憶媒体４の通信圏内に入った、ということになる（ＳＴ９）。
【００６０】
まず、認識した携帯情報端末３に関する情報を確認する（ＳＴ１０）。通信機能付き記憶媒体４の記憶部４２内には、当該病室端末２が設置されている病室、或いは、その近傍にある病室に回診に訪れる回診医が所持している携帯情報端末３に関する情報が格納されている。そこで、当該格納されている携帯情報端末３に関する情報とデータ制御部１１において認識された携帯情報端末３に関する情報とを比較する。
【００６１】
次に、データ制御部１１は、通信機能付き記憶媒体４の記憶部４２内に格納されている回診スケジュールの確認を行う（ＳＴ１１）。すなわち、病室端末２が設置されている病室、或いは、その近傍にある病室におけるその日の回診のスケジュールを確認する。この回診スケジュールを確認することで、回診とは関係なく回診を担当する医師が病室を訪れたような場合に所持する携帯情報端末に回診用データを送信することを回避することができる。
【００６２】
さらに、データ制御部１１は、該当する回診用データが医用ワークステーション１から送信されてきているか、確認する（ＳＴ１２）。医用ワークステーション１から病室端末２への回診用データの送信中に何らかの障害が発生し、通信機能付き記憶媒体４内に回診用データが格納されていない、という状況が発生することを防止するためである。
【００６３】
なお、ここでデータ制御部１１は、認識された携帯情報端末３に関する情報、回診スケジュールに関する情報及び、回診用データの有無を順に確認しているが、これらの確認の順序は任意に設定することができる。或いは、これらの確認を並行して行っても良い。
【００６４】
その上で、これら３つの情報の関連を確認する（図６のＳＴ１３）。それぞれの情報が正しいものであっても、ある特定の日の回診に関する情報として考慮した場合に適切ではないことが考えられる。そこでここでは３つの情報の関連が回診医に開示する本日の回診に関する情報として適切であるか確認する。関連が適切である場合には、データ制御部１１において回診用データの携帯情報端末３への開示が可能であると判断される（ＳＴ１４のＹＥＳ）。回診用データの開示が不可であると判断された場合（ＳＴ１４のＮＯ）については、後述する。
【００６５】
データ制御部１１は、携帯情報端末３が回診用データを読み取る際に使用する情報読取標識を生成する（ＳＴ１５）。当該「情報読取標識」には、例えば、病室端末２に関する情報、回診用データの保存場所に関する情報、患者情報、及びアクセスコードが記憶されている。携帯情報端末３ではこの情報読取標識を受信し（ＳＴ１７）、解析することによって（ＳＴ１８）、回診医が必要とする回診用データを取得する。
【００６６】
このように回診用データをすぐに直接携帯情報端末３に送信せずにまず情報読取標識を生成し送信するのは、以下の理由からである。すなわち、本発明の実施の形態においては、後述するように、回診用データ以外に必要とされる医用情報については、別途取得のための処理が必要である。その前段階として回診用データが携帯情報端末３に送信されるが、これは、情報量の多い医用情報をまとめて携帯情報端末３に送信すると受信に時間が掛かってしまう。そこで、医用情報の取得を２段階に分けてまずは少ない情報量で生成される回診用データを携帯情報端末３へと送信することとしている。
【００６７】
一方で、回診用データは上述したように様々な情報から構成されており、絶対量として情報量が少なく、軽い情報であるとも言いにくい。従って、このような回診用データを最初から携帯情報端末３へと送信することとすると、受信に時間が掛かり、その間回診医は回診を行うことができず待ちの状態となってしまう。これでは回診の効率は低下する。
【００６８】
そこでまずは情報読取標識を送信し、回診が進むにつれて順次該当する患者の回診用データを受信することとすれば、１人の患者の回診を行っている間にその他の患者に関する回診用データを取得することができ、回診に無駄が生ずることを回避できる。
【００６９】
なお、「情報読取標識」としては、例えば、バーコード（次元数を問わない）を挙げることができる。また、当該情報読取標識は、例えば、病室端末２の記憶部２ｉにおいて管
理される。
【００７０】
携帯情報端末３において解析された情報読取標識の情報（アクセスコード）を基に、携帯情報端末３は、回診医が必要とする回診用データの取得要求を病室端末２に対して行う（ＳＴ１９）。当該取得要求を受信した病室端末２では、通信機能付き記憶媒体４内に格納されている回診用データを無線で携帯情報端末３へと送信する（ＳＴ２０）。なお、通信機能付き記憶媒体４から携帯情報端末３への回診用データの送信においては、例えば、ｈｔｔｐ等の一般的な転送プロトコルが使用される。
【００７１】
携帯情報端末３は、病室端末２に接続されている通信機能付き記憶媒体４から送信された回診用データを取得する（ＳＴ２１）。またこのことをもって、計時部２２において計時を開始する（図７のＳＴ２２参照）。ここで計時を開始するのは、携帯情報端末３に取得された回診用データの消去の判断に用いるためである。そして、取得した回診用データを表示部３ｇに表示する（ＳＴ２３）。なお、計時の開始と回診用データの表示の順序は、ここで説明した順序であっても、或いは、表示、計時の順序であっても、または、両者並行して処理が行われても良い。
【００７２】
病室端末２では、回診用データが携帯情報端末３に対して送信されたことをもって、計時部２１において計時を開始する（ＳＴ２４）。ここで計時を行うのは、通信機能付き記憶媒体４内に格納されている回診用データであって携帯情報端末３に対して送信された回診用データの消去の判断に用いるためである。また、回診用データを取得した際に生成した回診用データフラグをここで転送済みへと変更する（ＳＴ２５）。
【００７３】
以上をもって、回診医が所持する携帯情報端末３に必要となる情報（回診用データ）が取得され、表示される。回診医は病室に入院している患者の回診を行う際に当該回診用データを利用する。また、情報読取標識内には患者情報も含まれていることから、併せて回診の際に参考にする。
【００７４】
回診医が回診を行っているときに、入院患者によっては、取得した回診用データのみでは足りず、その他の情報も参考にしたい場合が出てくる（ＳＴ２６）。この場合には、回診医は、ともに回診用データに含まれているアクセスコードと検査データリンク情報を利用して、その他の情報の取得を病室端末２に対して要求する（ＳＴ２７）。病室端末２のデータ制御部１１は当該要求を受信し、さらに医用ワークステーション１に対してその他の情報の取得を要求する（ＳＴ２８）。
【００７５】
医用ワークステーション１では、データ生成部１０において取得要求に該当する情報をデータベース５内において検索、取得し、病室端末２へと送信する（ＳＴ２９）。また、送信したその他の情報については、ここで消去する（ＳＴ３０）。
【００７６】
病室端末２では、医用ワークステーション１から送信されたその他の情報を取得し、携帯情報端末３に対して送信する（ＳＴ３１）。データ制御部１１では、取得したその他の情報に関する回診用データフラグを生成するとともに（ＳＴ３２）、計時を再度開始する（ＳＴ３３）。最初に取得して回診用データの消去条件の１つとなる所定の時間をもって、その後に取得したその他の情報についても消去されてしまうと、回診医のその他の情報を参照する時間が少なくなってしまうことも考えられるからである。その上で、生成されたその他の情報に関する回診用データフラグを転送済みとする（ＳＴ３４）。
【００７７】
携帯情報端末３では、その他の情報を取得するとともに、表示部３ｇへと当該その他の情報を表示させる（ＳＴ３５）。そして計時部２２における計時を再度開始する（ＳＴ３６）。
【００７８】
次に図８を参照して、回診医による回診が終了した後に、病室端末２（通信機能付き記憶媒体４）、或いは、携帯情報端末３に存在する回診用データの消去の流れについて説明する。回診用データを消去する処理を行うのは、いつまでも利用済みの回診用データを保持しておくと、何かの拍子に漏洩しないとも限らずセキュリティの観点から万全を期すためである。ここでは、病室端末２（通信機能付き記憶媒体４）と携帯情報端末３とにおける消去の流れをそれぞれ別個に説明する。消去の流れにおいては、これらの機器の間で情報がやり取りされることはないからである。
【００７９】
まず、携帯情報端末３に保持されている回診用データの消去の流れについて説明する。回診医が回診を終了すると、通常回診医は回診を行った病室から退室する。病室端末２は病室内、或いは、その病室近傍にある場所（廊下等）に設置されている。従って、病室端末２に接続されている通信機能付き記憶媒体４の通信圏内は、病室内、或いは、その病室近傍となる。そのため、回診医が回診を終えて病室を退室し移動すると、当該病室からある程度の距離を離れることによって、携帯情報端末３は通信機能付き記憶媒体４の通信圏外となる。このような状態となれば、携帯情報端末３に保持されている回診用データを消去しても良いと考えられる。そこで、携帯情報端末３は、通信機能付き記憶媒体４の通信圏外に位置しているか否かを判断する（ＳＴ４１）。
【００８０】
携帯情報端末３が通信機能付き記憶媒体４の通信圏外にあると判断した場合には（ＳＴ４１のＹＥＳ）、さらに、所定の時間が経過したか否かが判断される（ＳＴ４２）。この「所定の時間」とは、携帯情報端末３の計時部２２において、回診用データを受信したときから計測している時間である。
【００８１】
ここで所定時間の経過を判断し、携帯情報端末３が通信機能付き記憶媒体４の通信圏外に位置したときにすぐに回診用データを消去してしまわないのは、回診医が一旦回診を終了させたものの、再度戻って回診を再開する可能性を考慮したものである。回診を再開する際に、一旦取得した回診用データを再度病室端末２から取得することは時間が掛かってしまうことになる。また場合によっては、通信機能付き記憶媒体４の記憶部４２内に格納されていた回診用データも削除されてしまっている可能性もある。この場合には一層の時間が掛かる。そこで、携帯情報端末３が通信圏外に位置したとしても、回診用データの消去に当たっては、さらに所定時間の経過を待つこととしている。
【００８２】
その上で、所定の時間が経過したら（ＳＴ４２のＹＥＳ）、受信して保持していた回診用データを消去する（ＳＴ４３）。以上の流れをもって携帯情報端末３に保持されている回診用データの消去が完了する。
【００８３】
次に病室端末２に接続されている通信機能付き記憶媒体４の記憶部４２内に格納されている回診用データの消去についてである。まず、データ制御部１１が回診用データフラグが転送済みになっているか確認する（ＳＴ５１）。
【００８４】
記憶部４２内に格納されていた回診用データが携帯情報端末３に送信されると、回診用データの取得によって生成された回診用データフラグが転送済みに遷移する。一方、何らかの事情により回診用データが携帯情報端末３に送信されない場合も生じうる。例えば、上述したように、通信機能付き記憶媒体４が携帯情報端末３に回診用データを送信するに当たって３つの条件を構成する情報が存在し、かつ、それらの３つの関連性が必要であるが、いずれかの条件が揃わない場合には、回診用データの開示がされない（図６のＳＴ１４のＮＯ）。このような場合には、回診用データフラグは転送済みに遷移せず、生成された状態のままである。また、例えば、回診医が必要とする情報が、情報読取標識の解析のみで足り回診用データの取得までは必要としなかった、回診医が回診に訪れなかった等の
場合にも回診用データフラグは転送済みに遷移しない。
【００８５】
このように回診用データフラグについては転送済みに遷移する場合としない場合が考えられる。転送済みに遷移している場合（ＳＴ５１のＹＥＳ）には、さらに所定の時間が経過しているか否か、データ制御部１１にて判断される（ＳＴ５２）。この「所定の時間」は、計時部２１にて回診用データを取得した時から計時している時間である。回診用データを携帯情報端末３に送信して病室への回診は医療機関において通常行われる処置の１つであることから、一般的に回診用データを取得してから回診医が所持する携帯情報端末３に送信し、さらに回診が終了するまでの時間は把握可能な時間である。従ってこのような時間を予め計時の設定時間としておくことで、回診用データを回診時において役立てた上でセキュリティの確保も確実にできる回診用データの運用を行うことができる。ここで所定の時間が経過していない場合には（ＳＴ５２のＮＯ）、再度回診用データフラグが転送済みに遷移しているか否かの判断の流れに戻る。
【００８６】
一方、所定の時間が経過した場合には（ＳＴ５２のＹＥＳ）、さらに、回診スケジュールに設定されている全ての回診が完了したか否かの判断が行われる（ＳＴ５３）。上述したように回診スケジュールは、回診医が対象となる患者が入院している病室を回診する上で基本となるスケジュールであり、回診は当該スケジュールに従って行われる。そこで、データ制御部１１は、回診スケジュールを確認して、その日の回診スケジュールが完了しているか否かを判断する。回診スケジュールが完了していなければ（ＳＴ５３のＮＯ）、まだ回診は途中であることから、回診用データを消去してしまうと、再度の取得要求が携帯情報端末３から送信された場合に対応することができなくなってしまう。そこで、この場合には、消去は行われず、再度回診スケジュールの完了の有無を含む消去の流れが判断されることになる。
【００８７】
一方、回診スケジュールが完了していると判断された場合には（ＳＴ５３のＹＥＳ）、データ制御部１１は、受信して通信機能付き記憶媒体４の記憶部４２内に格納されている回診用データを消去する（ＳＴ５４）。
【００８８】
このような消去の処理を、携帯情報端末３、及び病室端末２について行うことによって、回診用データの漏洩といったことのないセキュリティの確保が可能となる。
【００８９】
以上説明したように、通信機能付き記憶媒体４を利用して回診医の所持する携帯情報端末に回診用データを無線で送信する仕組みを採用することによって、回診医が病室を回診する際に必要な医用情報を簡易、かつ確実に取得することで回診の効率が向上するとともに、取得した医用情報のセキュリティにも十分に配慮した医用情報取得システム及び医用情報取得方法を提供することができる。
【００９０】
特に、医用ワークステーションで生成される回診用データを病室等に設置される端末に接続されている通信機能付き記憶媒体を介して回診医の所持する携帯情報端末へと送信することで、看護師等が回診のために必要とされるカルテ等を予め用意する、片付ける、といった手間、負担を省くことができる。また、回診の効率化も図ることができる。
【００９１】
なお、以上においては、回診用データを一般的なプロトコルを用いて生成して転送しているが、例えば、回診用データを医用ワークステーションにおいてＲＡＷデータとして変換して生成し、通信機能付き記憶媒体を介して携帯情報端末へと送信することも可能である。この場合、ＲＡＷデータとして回診用データを受信した携帯情報端末は、当該携帯情報端末において読み取り表示可能なデータに変換して表示させる。
【００９２】
（第２の実施の形態）
次に本発明における第２の実施の形態について説明する。なお、第２の実施の形態において、上述の第１の実施の形態において説明した構成要素と同一の構成要素には同一の符号を付し、同一の構成要素の説明は重複するので省略する。
【００９３】
第２の実施の形態においては、医療機関内にあまり管理システム等の各種システムが構築されていない場合に、通信機能付き記憶媒体を利用して無線で必要な医用情報を各所へ送信する仕組みについて説明する。
【００９４】
図９は、第２の実施の形態における医用情報取得システムＳ２の全体構成を示すブロック図である。医用情報取得システムＳ２は、患者の内部情報を取得する医用画像診断装置５１と、医用画像診断装置５１から無線で内部情報を医用情報として受信する医用ワークステーション５２と、医用画像診断装置５１から無線で医用情報を受信する携帯情報端末５３と、医用画像診断装置に接続され、少なくとも医用情報を格納し、携帯情報端末が通信可能な圏内に入った場合に、医用情報を携帯情報端末に無線で送信する通信機能付き記憶媒体５４とから構成される。
【００９５】
医用画像診断装置５１は、患者内部の情報を収集し、この収集された情報に基づいて被検体内部を画像化して医用画像を生成する装置である。この医用画像診断装置５１としては、例えば、Ｘ線ＣＴ装置（computed tomography：コンピュータ断層撮影装置）や、磁気共鳴診断装置（ＭＲＩ：magnetic resonance imaging）等が該当する。
【００９６】
なお、ここでの医用画像診断装置５１は、一般的なＸ線ＣＴ装置等の装置であり、後述する通信機能付き記憶媒体５４が接続されている以外は特に構成上新たなところはないことから、その内部構成についての説明は省略する。
【００９７】
さらに、当該医用画像診断装置５１には、通信機能付き記憶媒体５４が接続されている。ここでの通信機能付き記憶媒体５４は、上述した第１の実施の形態における通信機能付き記憶媒体４と同様のものである。従って、構成、機能は同じであることから、ここでは詳細な説明は省略する。異なるのは、第１の実施の形態においては、病室端末２に接続されていたが、第２の実施の形態においては、医用画像診断装置５１に接続されているという点である。従って、医用画像診断装置５１は通信機能付き記憶媒体５４内に格納されている、医用画像診断装置５１にて取得した患者の内部情報を医用情報として医用ワークステーション５２、或いは、携帯情報端末５３に無線で送信する役割を果たす。
【００９８】
医用ワークステーション５２は、データベース５５に接続され、各種管理システムの一翼を担っている情報端末の一種である。医用ワークステーション５２の内部構成は、図２にて説明した通りである。なお、医用ワークステーション５２とデータベース５５とは、互いに有線の通信ネットワークＮ１にて接続されている。
【００９９】
なお、医用ワークステーション５２によっては、ＤＩＣＯＭ規格のデータをその形式のまま取り扱うことのできない場合も考えられる。この場合医用ワークステーション５２には、医用画像診断装置５１から送信されて来た医用情報をＤＩＣＯＭ規格の情報へと変換する機能（或いは、アプリケーション）が搭載されていても良い。
【０１００】
すなわち、本発明の実施の形態においては、医用情報（回診用データ）は、通信機能付き記憶媒体５４を利用して医用画像診断装置５１から転送されることになる。従って、転送される回診用データはＤＩＣＯＭ規格に則っていない可能性もあり、このままの状態では医用ワークステーション５２では、送られてきた回診用データを見ることはできない。そこで、これらの情報をＤＩＣＯＭ規格に則った情報とするために、変換機能（アプリケーション）を利用する。当該変換機能（アプリケーション）を利用することによって、医用ワークステーション５２においてもＤＩＣＯＭ規格に則った情報となり閲覧可能となる
。
【０１０１】
この際、手順としては、医用ワークステーション５２において受信したＤＩＣＯＭ規格に則っていない回診用データを一旦ＤＩＣＯＭ規格に則った回診用データに変換した上でデータベース５５に登録し、その上で当該データベース５５に登録された回診用データ（この回診用データは既にＤＩＣＯＭ規格に則った回診用データである）を閲覧する。
【０１０２】
携帯情報端末５３は、回診医が病室を回診する際に所持する端末であり、その内部構成は、図４を用いて説明した通りである。
【０１０３】
なお、携帯情報端末５３を含め、ＤＩＣＯＭ規格のデータをその形式のまま取り扱うことのできるアプリケーションが搭載されている機器の場合には、送信されて来たＤＩＣＯＭ規格に則っていない情報でも開いて見ることができる。
【０１０４】
第２の実施の形態においては、上述した構成を採用している。このような構成を採用することによって、例えば、新興国や小規模な医療機関等のように、院内に有線でのネットワーク環境を構築することが困難な場合であっても、通信機能付き記憶媒体４を利用して回診医の所持する携帯情報端末に回診用データを無線で送信する仕組みを採用することによって、回診医が病室を回診する際に必要な医用情報を簡易、かつ確実に取得することで回診の効率が向上するとともに、取得した医用情報のセキュリティにも十分に配慮した医用情報取得システム及び医用情報取得方法を提供することができる。
【０１０５】
また、当該構成を採用することによって、物としての記憶媒体（メディア）を利用することなく非常に安価で簡単なネットワーク転送環境を構築することになるため、各装置間で医用情報を円滑にやり取りすることが可能となる。
【０１０６】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【０１０７】
１    医用ワークステーション
２    病室端末
３    形態情報端末
４    通信機能付き記憶媒体
５    データベース
【図１】
2014106674.tif 000003
【図２】
2014106674.tif 000004
【図３】
2014106674.tif 000005
【図４】
2014106674.tif 000006
【図５】
2014106674.tif 000007
【図６】
2014106674.tif 000008
【図７】
2014106674.tif 000009
【図８】
2014106674.tif 000010
【図９】
2014106674.tif 000011